(57)【特許請求の範囲】
【請求項１】
完全機械式の時間帯インジケータ機構を有するタイムピースであって、
−  複数の時間帯（ｆ）に分割された円形の世界地図が上に描かれているディスク（１）、
−  前記複数の時間帯（ｆ）の中の１つの時間帯（ｆｉ）を指し示すように配置されるポインタ（２）、
−  前記ポインタ（２）によって指し示される前記時間帯（ｆｉ）に対応する時刻のインジケータ（３）、
−  前記インジケータ（３）だけでなく前記ディスク（１）も駆動して回転させるように構成される竜頭（４４）
を備えたタイムピースにおいて、
押しボタン（４）であって、それを１回押すごとに前記ディスク（１）が前記１つの時間帯（ｆ）に対応する角度で回されるように、前記ディスク（１）に連結される、押しボタン（４）をさらに備えることを特徴とする、
タイムピース。
【請求項２】
前記押しボタン（４）が、レバー（１３）と接触するノーズ（１２）を備えるレバー（９）上に圧力をかけるように配置され、前記レバー（１３）の一方の端部（２５）が、前記ディスク（１）に堅固に固定される車（６）と接触するように構成される、請求項１に記載のタイムピース。
【請求項３】
前記竜頭（４４）が、前記レバー（１３）の他方の端部（２１）と接触して前記レバー（１３）を軸（１４）まわりに回転させるように構成される星車（３１）を担持する車（５０）を駆動する、請求項２に記載のタイムピース。
【請求項４】
前記レバー（１３）が、それに対して自由に回転するフィンガ（１５）を担持し、前記フィンガ（１５）の一端部（２７）が、前記インジケータ（３）に堅固に固定される車（２８）を駆動して回転させるように構成される、請求項２または３に記載のタイムピース。
【請求項５】
前記車（２８）が、前記タイムピースのムーブメントの日の裏車（３３）によって駆動される２４時車（３７）上に装着されるジャンパ（３９）と協働する星車（２９）に堅固に固定される、請求項４に記載のタイムピース。
【請求項６】
前記フィンガ（１５）が、前記フィンガ（１５）の前記端部（２７）を前記車（２８）に係合させるように構成されるばね（１８）を備える、請求項４または５に記載のタイムピース。
【請求項７】
前記ばね（１８）が、前記フィンガ（１５）に設けられる開口（１７）内に配置される板ばね（１８）の形をとり、前記板ばね（１８）が固定ほぞ（１９）上を押す、請求項６に記載のタイムピース。
【請求項８】
前記車（６）から前記レバー（１３）の前記端部（２５）を離しておくために、前記レバー（１３）上に圧力を加えるように構成されるばね（２０）を含む、請求項２から７のいずれか一項に記載のタイムピース。
【請求項９】
前記フィンガ（１５）が、前記端部（２７）と実質的に正反対にある端部（２２）にほぞ（２３）を含み、前記ほぞ（２３）が前記レバー（９）と恒久的に接触しその上を滑動するように構成される、請求項４から８のいずれか一項に記載のタイムピース。
【請求項１０】
前記レバー（９）が、前記タイムピースのケーシングまたはプレートと接触し板ばね機能を有するテーパ付き端部（１１）を含む、請求項２から９のいずれか一項に記載のタイムピース。
【請求項１１】
前記日の裏車（３３）が、前記２４時車（３７）と噛み合う２４時かな（３６）と同軸でありそれに堅固に固定される、請求項５から１０のいずれか一項に記載のタイムピース。
【請求項１２】
前記竜頭（４４）にしっかり固定され、前記車（５０）に係合される中間車（４８）と噛み合う遊び車（４７）と噛み合う、つづみ車（４６）を含む、請求項３から１１のいずれか一項に記載のタイムピース。
【請求項１３】
前記時間帯（ｆｉ）の前および／または後の時間帯を示す１つ／２つの追加の他のポインタ（５１、５２）をさらに含む、請求項１から１２のいずれか一項に記載のタイムピース。
【請求項１４】
−  時針（４２）および前記インジケータ（３）を、同じ時刻を指し示すように配置し、前記押しボタン（４）を作動させて前記ポインタ（２）が基準時間帯を指し示すように前記ディスク（１）を位置決めするステップと、
−  前記インジケータ（３）が他の時間帯の時刻を指し示すように前記竜頭（４４）を回すステップと
を含む、請求項１から１３のいずれか一項に記載のタイムピースを合わせる方法。
【発明の詳細な説明】
【技術分野】
【０００１】
本発明は、通常ある時針および分針に加えて、複数の時間帯に分割された世界地図が上に描かれているディスク、および使用者が選んだ時刻に対応する特定の時間帯を示すポインタを含む、タイムピースに関する。
【背景技術】
【０００２】
特許文献１には、通常ある時針および分針に加えて、
−  ２４の時間帯に分割された円形の世界地図が上に描かれているディスク、
−  前記２４の時間帯の中の１つの時間帯を指し示すように配置されるポインタ、
−  ポインタによって指し示される時間帯に対応する時刻を指し示す追加の針、
−  押しボタン
を含む、時刻をアナログ表示する腕時計が記載されている。
【０００３】
この腕時計では、ディスクは固定され、時間帯ポインタは、時針および分針と同じ軸上に装着され、使用者が選んだ時間帯に達するまで地図上を回るように構成される。時間帯は、使用者が押しボタンを使って選ぶ。押しボタンは、作動されると、電子的手段に命令を出し、それによって一方ではモータが作動してポインタが回転され、他方では選んだ時間帯に対応する時刻を指し示すように追加の針が回転される。
【先行技術文献】
【特許文献】
【０００４】
【特許文献１】欧州特許出願第４０７１６５号
【発明の概要】
【発明が解決しようとする課題】
【０００５】
本発明の主目的は、完全機械式の機構を使用して、使用者が選んだ時刻、例えば旅行の際、使用者が旅行をしている場所の現在の時刻に対応する時間帯を指し示す、タイムピースを提案することである。
【０００６】
さらに、このタイムピースは、選んだ時刻に対応する時間帯を簡単に表示できなければならない。
【０００７】
さらに、このタイムピースは、製造しやすく構成要素の数が少なくなければならない。
【課題を解決するための手段】
【０００８】
この目的は、
−  ディスク自体が回転することができる、
−  ポインタが固定される、
−  押しボタンが、それを１回押すごとにディスクが１つの時間帯に対応する角度回されるように、ディスクに連結される
という点で上記で引用した特許出願の主題の腕時計と区別される、本発明のタイムピースによって達成される。
【０００９】
本発明は、さらに、本発明のタイムピースを合わせる方法に関する。
【００１０】
本発明の他の特徴および利点は、本発明を図示する添付の図面に関連して示される以下の説明の一部として、次に詳細に説明される。
【図面の簡単な説明】
【００１１】
【図１】本発明のタイムピースの概略を示す図である。
【図２】非作動状態の、時間帯変更機構の一部を示す図である。
【図３】押しボタンによって作動された状態の、図２の機構の一部を示す図である。
【図４】時刻を設定する機構の一部を示す図である。
【図５】時刻設定竜頭によって作動された状態の、図２の機構の一部を示す図である。
【図６】図５の線Ａ−Ａに沿った断面を示す図である。
【発明を実施するための形態】
【００１２】
図１は、本発明のタイムピースの一例を示す概略図である。
【００１３】
正面側から見ると、このタイムピースは、
−  それ自体が回転することができ、２４の時間帯ｆに分割された円形の世界地図が上に描かれている、ディスク１、
−  ２４の時間帯ｆのうちの１つの時間帯ｆｉを指し示すように配置される固定ポインタ２、
−  指し示された時間帯ｆｉに対応する時刻を示す２４時インジケータすなわち針３、
−  押しボタン４であって、それを１回押すごとにディスク１が１つの時間帯ｆに対応する角度、すなわち３６０／２４＝１５度回されるように、機械的手段によって排他的にディスク１に連結される、押しボタン４
を備える。
【００１４】
２４の時間帯ｆに分割された円形の世界地図は、南北の軸線に沿って上から見た地球の地図に投影することによって得られる。時間帯ｆは、不規則に境界が画定されているが、その全てがディスク１の円周上で同じ長さの円弧を形成する。
【００１５】
ａ）止まっているときの機構
図２は、止まっているとき、つまり初期状態における機構の一部を示す。
【００１６】
ディスク１は、軸５まわりに自由に回転するように装着され、歯車６と同軸でありそれにしっかり取り付けられる。歯車６は、シャフト８によってタイムピースのケーシングまたはプレートに固定されるジャンパ７によって既知の方法で回転される。
【００１７】
押しボタン４は、軸１１まわりに旋回するように装着されるレバー９の第１の端部１０と協働するように構成される。
【００１８】
レバー９のテーパ付きの第２の端部１１は、ケーシングまたはプレートの一部と接触し、レバー９をその初期位置で保持するまたは初期位置に戻す板ばねとして働く。
【００１９】
レバー９は、さらに、軸１４まわりに旋回するレバー１３と接触するノーズ１２を含む。レバー１３上には、軸１６まわりに旋回するようにフィンガ１５が装着される。フィンガ１５は、開口１７を含み、その中にある板ばね形状の部分１８は、ケーシングまたはプレートに固定されるほぞ１９と接触する。
【００２０】
フィンガ１５は、一方の端部２２に、レバー９の第３の端部２４と接触するほぞ２３を備える。ほぞ２３は、レバー９の第３の端部２４上で滑動するように構成される。
【００２１】
ケーシングまたはプレートに固定される細長いばね２０は、レバー１３を初期位置で維持するまたは初期位置に戻すために、レバー１３の第１の端部２１と接触する。レバー１３の第２の端部２５は、軸１４に対して第１の端部２１の実質的に正反対にあり、軸５まわりに回転する歯車６を駆動するために、歯車６の２４の歯２６と代わる代わる協働するように構成されるテーパ付き形状を有する。
【００２２】
ｂ）時間帯合わせ
図３は、使用者が押しボタン４を押した状態の機構の一部を示す。
【００２３】
押しボタン４は、使用者によって加えられる圧力Ｐを受けると、レバー９の第１の端部１０を押し、それによってレバー９が軸１１まわりに旋回される。その結果、ノーズ１２がレバー１３を駆動して軸１４まわりに回転させる。次いで、レバー１３の端部２５が歯車６の歯２６と接触し、それによって歯車６を駆動して矢印Ｆの方向へ１つの時間帯ｆに対応する角度で回転させる。
【００２４】
それと同時に、レバー９の回転およびレバー１３の回転によって、フィンガ１５のほぞ２３がレバー９の端部２４上を滑動し、軸１６まわりに方向Ｓ１にフィンガ１５を回す。
【００２５】
ｃ）新しい時間帯での時刻の設定
図４は、時刻を設定する機構の一部を示す。
【００２６】
巻き上げ機構であるロッド４３が巻き上げおよび時刻設定の竜頭４４によってタイムピースのケーシングに対して外側に引っ張られると、端と端を接するブレゲーの歯４５が互いに隔てられる。
【００２７】
きち車（ｗｉｎｄｉｎｇ  ｐｉｎｉｏｎ）４６は、中間遊び車４８と噛み合う時刻設定／修正遊び車４７と噛み合う。中間遊び車４８は、新しい時間帯の時刻を設定するための車５０と噛み合う。
【００２８】
３つのブランチが付いた星車３１は、車５０上に同軸に装着されそれに堅固に固定される。
【００２９】
図５で見ることができるように、新しい時間帯の時刻を設定するための車５０は、リング４４および部分４３、４６、４７、４８の回転によって回されると、端部２１を動かし、それによって、レバー１３が駆動されて軸１４まわりに図に示される方向に回転するように、適切に配置される。
【００３０】
次いで、ほぞ１９を押す板ばね１８の力のために、レバー１３によって担持されるフィンガ１５が駆動されて方向Ｓ２に回転し、端部２２の実質的に反対にあるテーパ付き端部２７が、星車修正車２８の２つの歯の間に形成される空間に押し入れられる。
【００３１】
３つのブランチが付いた星車３１およびレバー１３のさらなる回転は２つの作用を及ぼす。
【００３２】
第一に、フィンガ１５が方向Ｄに動かされ、それによって、修正車２８の歯の適切な傾斜のため修正車２８が駆動されて図５に示される方向に回転する。
【００３３】
図６で見ることができるように、タイムピースのムーブメントの日の裏車３３は、ムーブメントの分針４１に堅固に固定される筒かな３２と噛み合う。日の裏車３３は、やはりまた、分かな（ｍｉｎｕｔｅ  ｐｉｎｉｏｎ）３４にしっかり固定されそれと同軸である。分かな３４は、筒かな３２上を自由に回転するように装着され時針４２に堅固に固定される筒車３５と噛み合う。
【００３４】
２４時かな（２４−ｈｏｕｒ  ｐｉｎｉｏｎ）３６は、分かな３４上に同軸に装着されそれにしっかり固定され、２４時針３に堅固に固定される２４時車３７と噛み合う。
【００３５】
２４時かな３６および２４時車３７は、２４時車３７が筒車３５の速度の半分で回るように寸法設定される。
【００３６】
２４時車３７は、２４時星車２９と同軸に装着されその上で自由に回転する。２４時星車２９は、時針４２が固定される筒車３５の円筒形延長部上で自由に回転するように装着される。
【００３７】
２４時車３７はジャンパ３９に固定され、ジャンパ３９は２４時星車２９と協働する。
【００３８】
修正車２８は、２４時星車２９と同軸に装着されそれに堅固に固定される。したがって、修正車２８は、ジャンパ３９を介して間接的に駆動されて回転する。
【００３９】
したがって、図５を再び参照することでわかるように、フィンガ１５の端部２７が修正車２８を押すと、ある歯から他の歯にジャンプするジャンパ３９により、２４時車３７を駆動することなく、したがって時針４２によって表示される時刻を修正することなく、車２８が回ることができる。しかし、修正車２８は、２４時針３を担持する２４時星車２９に堅固に固定されるので、車２８の回転によってこの針も回されることになる。
【００４０】
３つのブランチが付いた星車３１およびレバー１３のさらなる回転による第２の作用は、図３のように、フィンガ１５の端部２５が動かされ、それによって歯車６が駆動され、したがってディスク１が回転することである。
【００４１】
しかし、図３では、レバー１３の適切な形状の端部２４を支承するほぞ２３が存在することで、２４時針３に影響を与えないようにフィンガ１５の他の端部２７を車２８から離しておく作用をもたらす。
【００４２】
ｄ）使用
本発明のタイムピースの初めての使用に際して、使用者が彼らのいつもの時間帯にいると仮定すると、同じ時刻を表示するために、使用者は竜頭４４を動かして２４時針３を時針４２と一致させる。
【００４３】
次いで、使用者は、ポインタ２が彼らの通常すなわち基準時間帯を指し示すまで、必要に応じて何度でも押しボタン４を押す。
【００４４】
その後、万一時間帯が変わる旅行をする場合、使用者は、竜頭４４を回すことによって２４時針３を彼らがいる場所の現在の時刻に設定する。このやり方で時刻を設定することによって、やはりまたディスク１も回転され、それによってポインタ２が新しい時間帯ｆｉつまり使用者が旅行している地域の時間帯を自動的に指し示すようになる。
【００４５】
ｅ）変形形態の製造
有利な変形形態では、図１で見ることができるように、前および／または後の時間帯ｆｉを示す１つまたは２つの追加の他のポインタ５１、５２を設けることができ、それが夏時間または冬時間を指し示すように働いてもよい。例えば、ポインタ２のように、これらの追加のポインタ５１、５２は、マーキング、くぼみ、彫刻、型押し部分、付着材料、アップリケ、特にのり付けされたアップリケなどの形をとる。
【００４６】
ｆ）定義の変形形態
さらに、タイムピースは、時間帯ｆｉではなくインジケータ３によって指し示される時刻に関連して定義可能であり、すなわち、
−  複数の時間帯ｆに分割された円形の世界地図が上に描かれているディスク１、
−  時刻インジケータ３、
−  前記複数の時間帯ｆの中の、時刻インジケータ３によって指し示される時刻に対応する時間帯ｆｉを指し示すように配置されるポインタ２、
−  押しボタン４
を備え、
−  ディスク１自体が回ることができ、
−  ポインタ２が固定され、
−  押しボタン４が、それを１回押すごとにディスク１が１つの時間帯ｆに対応する角度回されるように、前記ディスク１に連結される
タイムピースとして定義され得る。
【００４７】
同様に、タイムピースは、押しボタン４ではなく竜頭リング４４に関連しても定義可能であり、すなわち、
−  複数の時間帯ｆに分割された円形の世界地図が上に描かれているディスク１、
−  時刻インジケータ３、
−  前記複数の時間帯ｆの中の、時刻インジケータ３によって指し示される時刻に対応する時間帯ｆｉを指し示すように配置されるポインタ２、
−インジケータ３だけでなくディスク１も駆動して回転させるように構成される竜頭４４
を備えるタイムピースとして定義され得る。
【００４８】
このように定義されるタイムピースは、
−  押しボタン４であって、それを１回押すごとに、インジケータ３に作用することなく、ディスク１が１つの時間帯ｆに対応する角度で回されるように、前記ディスク１に連結される押しボタン４
をさらに含むことができる。
【００４９】
最後に、言うまでもないが、タイムピースは、再び竜頭リング４４から始めて、
−  複数の時間帯ｆに分割された円形の世界地図が上に描かれているディスク１、
−  前記複数の時間帯ｆの中の１つの時間帯ｆｉを指し示すように配置される固定ポインタ２、
−  ポインタ２によって指し示される時間帯ｆｉに対応する時刻のインジケータ３、
−  インジケータ３だけでなくディスク１も駆動して回転させるように構成される竜頭４４
を備えるタイムピースとして定義され得る。
【００５０】
このタイムピースは、
−  押しボタン４であって、それを１回押すごとに、インジケータ３に作用することなく、ディスク１が１つの時間帯ｆに対応する角度で回されるように、前記ディスク１に連結される押しボタン４
をさらに含むことができる。
【００５１】
上記の説明で開示され、添付の図面で表されている全ての事柄は、本発明のタイムピースの上記その他の定義に等しく適用され得る。
【符号の説明】
【００５２】
１  ディスク
２  ポインタ
３  ２４時針
４  押しボタン
５  軸
６  歯車
７  ジャンパ
８  シャフト
９  レバー
１０  第１の端部
１１  第２の端部、軸
１２  ノーズ
１３  レバー
１４  軸
１５  フィンガ
１６  軸
１７  開口
１８  板ばね
１９  ほぞ
２０  ばね
２１  第１の端部
２２  端部
２３  ほぞ
２４  第３の端部
２５  第２の端部
２６  歯
２７  端部
２８  修正車
２９  ２４時星車
３１  星車
３２  筒かな
３３  日の裏車
３４  分かな
３５  筒車
３６  ２４時かな
３７  ２４時車
３９  ジャンパ
４１  分針
４２  時針
４３  ロッド
４４  竜頭
４５  ブレゲーの歯
４６  きち車、つづみ車
４７  遊び車
４８  遊び車
５０  車
５１  ポインタ
５２  ポインタ
Ｄ  方向
ｆ  時間帯
ｆｉ  時間帯
Ｆ  方向
Ｐ  圧力
Ｓ１  方向
Ｓ２  方向
【図１】
0005933978.tif 000002
【図２】
0005933978.tif 000003
【図３】
0005933978.tif 000004
【図４】
0005933978.tif 000005
【図５】
0005933978.tif 000006
【図６】
0005933978.tif 000007